(57)【要約】      （修正有）【課題】排気口の排気量を検知するための掃除機を提供する。【解決手段】掃除機は、機体の側面に排気口が形成されると共に、機体の底部に吸込ダクト１１４が設けられ、機体の内部に集塵箱１２０が取り付けられ、集塵箱は吸込ダクトに連通し、左右一対の駆動輪１１２が配置され、機体の内部に配置される吹出ファン１３０は集塵箱の傍に並んで排気口に連通される。更に、排気口に検知装置が設けられ、検知装置は検知ユニットおよび回転ユニットを含み、検知ユニットは赤外線発光素子と赤外線受光素子を備え、回転ユニットは赤外線発光素子と赤外線受光素子の間に配置される。赤外線発光素子は、赤外線受光素子に赤外線を発射し、回転ユニットを検知する。【選択図】図１
0003204961.tif 000002
【実用新案登録請求の範囲】
【請求項１】
機体の側面に排気口が形成されると共に、該機体の底部に吸込ダクトが設けられ、底部の両側に左右一対の後輪と、機体の内部に取り付けられて前記吸込ダクトに連通る集塵箱と、機体の内部に配置されて前記集塵箱の傍に並んで前記排気口に連通される吹出ファンと、前記排気口に設けされた検知装置と、を備える掃除機であって、更に、前記検知装置は検知ユニットおよび回転ユニットが含まれて、前記検知ユニットは赤外線発光素子と赤外線受光素子を備えて、前記回転ユニットは赤外線発光素子と赤外線受光素子の間に通じ、前記赤外線発光素子から前記赤外線受光素子に赤外線を発射し、赤外線で前記回転ユニットを検知することを特徴とする掃除機。
【請求項２】
前記集塵箱はエアダクトを備えて、前記エアダクトは前記集塵箱に連通し、前期吸込ダクトを通って機体の外部に突出することを特徴とする請求項１に記載の掃除機。
【請求項３】
前記回転ユニットはファンとすることを特徴とする請求項１に記載の掃除機。
【請求項４】
前記吹出ファンからエア流を産出する、前記エア流は前記排気口に沿って掃除機の外部に排出させ、前記回転ユニットは前記エア流の速度に従って回転させられることを特徴とする請求項１に記載の掃除機。
【請求項５】
前記回転ユニットの回転速度は低くなくなるときに、前記吹出ファンの回転速度を増やすことを特徴とする請求項4に記載の掃除機。
【請求項６】
前記集塵箱と該吹出ファンとの間にフィルターエレメントが取り付けられていることを特徴とする請求項１に記載の掃除機。
【考案の詳細な説明】
【技術分野】
【０００１】
本考案は掃除機の装置に関し、特に、排気口の排気量を検知するための掃除機に関する。
【背景技術】
【０００２】
従来、自走掃除機の技術として構成したものが、ファン、フィルターエレメント、および集塵箱等を含まれて、ファンは気流を産出し、塵埃や不潔のものはフィルターエレメントを通じて集塵箱の中に吸い込まれる。フィルターエレメントによりろ過される塵埃や不潔のものが集塵箱に収集され、気流は掃除機の外部に排出される。
【０００３】
集塵箱が掃除機の内部に設けられて、ユーザーにとっては肉眼で集塵箱の中の塵埃等の収集量を検視できないので、一定の期間後、掃除機のカバーを外し、集塵箱の収集量を確認することが必要なので、ユーザーに不便を引き起すことになっている。また、集塵箱の中の塵埃や不潔のものが満たされた時、ユーザーは集塵箱を交換しないと、吸込口にブロッキングを起こしやすい、掃除機は運転騒音が発生し、吸い込む機能も低下し、電力の無駄になることがある。
【考案の概要】
【考案が解決しようとする課題】
【０００４】
上記従来の欠点に鑑み、本考案の考案者は研究を重ね、かつ個人が関連産業に従事した長年の経験に基づき、排気口の排気量を検知することができる掃除機を提供することを目的としている。
【０００５】
本考案の主な目的はファンの出口でセンサーを設け、該センサーにより回転部の回転速度を検知し、回転速度の変化に基づいて集塵箱の収集量が判断することができる。
【課題を解決するための手段】
【０００６】
上記目的を達成するため、請求項１に記載の考案は、機体の側面に排気口が形成されると共に、該機体の底部に吸込ダクトが設けられ、また、底部の両側に左右一対の駆動輪が配置され機体の内部に集塵箱が取り付けられており、該集塵箱は吸込ダクトに連通し、機体の内部に配置される吹出ファンは前記集塵箱の傍に並んで、前記排気口に連通される。該排気口に検知装置が設けられ、該検知装置は検知ユニットおよび回転ユニットが含まれて、更に、該検知ユニットは赤外線発光素子と赤外線受光素子を備えて、該回転ユニットは赤外線発光素子と赤外線受光素子の間に通じ、前記赤外線発光素子から赤外線受光素子に赤外線を発射し、赤外線で該回転ユニットを検知することを特徴としている。
【０００７】
請求項２記載の考案は、請求項１に記載の考案において、前記集塵箱はエアダクトを備えて、該エアダクトは集塵箱に連通し、吸込ダクトを通って機体の外部に突出することを特徴としている。
【０００８】
請求項３記載の考案は、請求項１に記載の考案において、該回転ユニットはファンであることを特徴としている。
【０００９】
請求項４記載の考案は、請求項１に記載の考案において、前記吹出ファンからエア流を産出し、該エア流は前記排気口に沿って掃除機の外部に排出され、該回転ユニットは前記エア流の速度に従って回転させられることを特徴としている。
【００１０】
請求項５記載の考案は、請求項４に記載の考案において、該回転ユニットの回転速度は遅くなくなるときに、前記吹出ファンの回転速度を増やすことを特徴としている。
【００１１】
請求項６記載の考案は、請求項１に記載の考案において、前記集塵箱と吹出ファンとの間にフィルターエレメントが取り付けられていることを特徴としている。
【図面の簡単な説明】
【００１２】
【図１】本考案の掃除機の下面図である。
【図２】本考案の掃除機の内部に一部の示す平面図である。
【図３】本考案の掃除機の検知装置を示す平面図である。
【考案を実施するための形態】
【００１３】
以下、本考案の実施の形態について更なる理解を促すため、図面に基づき詳細に説明する。同一の構成要素には各図において同一の符号を付し、詳細な説明は繰り返さない。なお、本考案は以下の実施例に限定されるものではない。
【実施例】
【００１４】
図1〜図３は本考案の一つの具体的な実施の形態である掃除機（１００）を示すものであって、図1〜図２に示すように、機体（１１０）の側面に排気口（１１６）が形成されると共に、該機体の底部に吸込ダクト（１１４）が設けられ、そして、底部の両側に左右一対の駆動輪（１１２）が配置され、該機体（１１０）の内部に集塵箱（１２０）が取り付けられており、該集塵箱（１２０）は吸込ダクト（１１４）に連通し、機体（１１０）の内部に配置される吹出ファン（１３０）は前記集塵箱（１２０）の傍に並んで、前記排気口（１１６）に連通される。
【００１５】
図２及び図３に示すように、前記排気口（１１６）に検知装置（１４０）が設けされ、該検知装置（１４０）は検知ユニット（１４２）および回転ユニット（１４４）を含んでおり、該検知ユニット（１４２）は赤外線発光素子（１４２ａ）と赤外線受光素子（１４２ｂ）を備えて、該回転ユニット（１４４）は赤外線発光素子（１４２ａ）と赤外線受光素子（１４２ｂ）の間に通じ、前記赤外線発光素子（１４２ａ）から赤外線受光素子（１４２ｂ）に赤外線を発射し、該赤外線で該回転ユニット（１４４）を検知することができる。
【００１６】
前記集塵箱（１２０）はエアダクト（１２２）を備えて、該エアダクト（１２２）は集塵箱（１２０）に連通し、吸込ダクト（１１４）および排気口（１１６）を通って機体の外部に突出することを特徴としている。
【００１７】
前記吹出ファン（１３０）を駆動することにより、エア流を産出し、機体（１１０）の下に入った塵埃や不潔なものが該エア流に乗って集塵箱（１２０）に至って集塵される。
【００１８】
好ましくは、前記回転ユニット（１４４）はファンであって、該ファンは回転軸（１４４ａ）に接続され、少なくとも一つのブレード（１４４ｂ）を備える。
【００１９】
さらに、前記集塵箱（１２０）と吹出ファン（１３０）との間にフィルターエレメント（１５０）が取り付けられていることを特徴としている。該赤外線で該回転ユニット（１４４）を検知することできる。
【００２０】
この実施例による、該回転ユニットの回転速度は低くなるときに、前記吹出ファンの回転速度を増やすことを特徴としている。図３に示す如く、前記ブレード（１４４ｂ）を回転軸（１４４ａ）回りで回転させ、ブレード（１４４ｂ）の回転速度を吹出ファン（１３０）からのエア流の速度により決める。
【００２１】
上記構成において、吹出ファン（１３０）を駆動することにより、エア流を産出して、塵埃などが吸込ダクト（１１４）からエア流に乗って集塵箱（１２０）に集塵される。
【００２２】
前記回転ユニット（１４４）を吹出ファン（１３０）が産出するエア流の速度によって回転させ、図２に示したとおり、普通の場合に、ファン（１３０）による産出するエア流は予定の速度を回転させ、集塵箱（１２０）の中に塵埃などで満たされる場合には、エア流は予定の速度より低くなる共に、吸い込む効率が低下し、回転ユニット（１４４）の回転速度も低くなって、前記回転ユニット（１４４）の赤外線でその低い速度を検知することができる。そして、その速度の変化に基づいて吸込ダクト（１１４）はブロッキングされるかどうか判断できる。
【００２３】
なお、前記回転ユニット（１４４）の回転速度は低くなる時、もう一つの解決の手段は、先ず、吹出ファン（１３０）の回転速度を高くし、これによれば，エア流が増加させ、吸い込む効率が高くなることに伴って、効率も高める。たとえこの手段を使っても、塵埃などを吸込ダクト（１１４）から排出できなければ、ユーザーに通知させて集塵箱（１２０）を交換する。以上の説明は、本考案最良の実施例に基づくものであり、本考案の実施の範囲を限定するものではない。関連技術を熟知した者であれば、本考案の要旨の範囲を逸脱せずに均等な変化や修飾が可能であり、それらはすべて本考案の特許範囲に含まれるものとする。
【００２４】
なお、前記回転ユニット（１４４）の回転速度は低くなる時、もう一つの解決の手段は、先ず、吹出ファン（１３０）の回転速度を高くし、これによれば，エア流が増加させ、吸い込む効率が高くなることに伴って、効率も高める。たとえこの手段を使っても、塵埃などを吸込ダクト（１１４）から排出させてできなければ、ユーザーに通知させて集塵箱（１２０）を交換する。
【００２５】
上述のように、本考案の掃除機の効果は、実用新案登録の産業的利用性、新規性、進歩性の要件を具備しているため、実用新案法の規定に従い、ここに実用新案登録を出願するものである。
【符号の説明】
【００２６】
１００      掃除機
１１０      機体
１１２      駆動輪
１１４      吸込ダクト
１１６      排気口
１２０      集塵箱
１２２      エアダクト
１３０      吹出ファン
１４０      検知装置
１４２      検知ユニット
１４２ａ    赤外線発光素子
１４２ｂ    赤外線受光素子
１４４      回転ユニット
１４４ａ    回転軸
１４４ｂ    ブレード
１５０      フィルターエレメント
【図１】
0003204961.tif 000003
【図２】
0003204961.tif 000004
【図３】
0003204961.tif 000005
【手続補正書】
【提出日】平成28年4月18日(2016.4.18)
【手続補正１】
【補正対象書類名】実用新案登録請求の範囲
【補正対象項目名】全文
【補正方法】変更
【補正の内容】
【実用新案登録請求の範囲】
【請求項１】
機体の側面に排気口が形成されると共に、該機体の底部に吸込ダクトが設けられ、底部の両側に左右一対の後輪と、機体の内部に取り付けられて前記吸込ダクトに連通する集塵箱と、機体の内部に配置されて前記集塵箱の傍に並んで前記排気口に連通される吹出ファンと、前記排気口に設けられた検知装置と、を備える掃除機であって、
更に、前記検知装置は検知ユニットおよび回転ユニットを含んでおり、前記検知ユニットは赤外線発光素子と赤外線受光素子を備えて、前記回転ユニットは赤外線発光素子と赤外線受光素子の間に通じ、前記赤外線発光素子から前記赤外線受光素子に赤外線を発射し、赤外線で前記回転ユニットを検知することを特徴とする掃除機。
【請求項２】
前記集塵箱はエアダクトを備えて、前記エアダクトは前記集塵箱に連通し、前記吸込ダクトを通って機体の外部に突出することを特徴とする請求項１に記載の掃除機。
【請求項３】
前記回転ユニットはファンとすることを特徴とする請求項１に記載の掃除機。
【請求項４】
前記吹出ファンからエア流を産出し、前記エア流は前記排気口に沿って掃除機の外部に排出され、前記回転ユニットは前記エア流の速度に従って回転させられることを特徴とする請求項１に記載の掃除機。
【請求項５】
前記回転ユニットの回転速度が低くなるときに、前記吹出ファンの回転速度を増やすことを特徴とする請求項4に記載の掃除機。
【請求項６】
前記集塵箱と該吹出ファンとの間にフィルターエレメントが取り付けられていることを特徴とする請求項１に記載の掃除機。